(57)【要約】【課題】一般家庭の電力使用者に省エネルギーを促すのに効果的な電力使用警報発生方法，電力使用警報表示装置，電力使用警報表示方法およびインターフォンを提供する。【解決手段】電力使用警報表示装置１０は、分電盤２０に設置された電力センサー２１により測定された使用電力量を受信するための受信部１１と、受信部１１により受信された使用電力量に基づいて各種演算を行う演算部１２と、演算部１２に接続された表示部１４とを備える。演算部１２は、当日の使用電力データと過去数日間の使用電力データの最大値とを所定時間ごとに比較し、当日の使用電力データと過去数日間の使用電力データの最大値との差が一定値を超えかつ当日の使用電力データと過去数日間の使用電力データの最大値との比が一定率を超えた時間帯を検出した場合に、検出した時間帯を示す警報を表示部１４に表示させる。【選択図】  図２
2006017646.tif 000002
【特許請求の範囲】
【請求項１】
測定された使用電力量に基づいて所定時間ごとの使用電力データを求めるステップ（Ｓ１）と、
前記所定時間ごとの使用電力データを用いて、当日の使用電力データと過去数日間の使用電力データの最大値との差を該所定時間ごとに求めるとともに、該当日の使用電力データと該過去数日間の使用電力データの最大値との比を該所定時間ごとに求めるステップ（Ｓ２）と、
前記所定時間ごとの差が一定値を超えかつ前記所定時間ごとの比が一定率を超えた時間帯を検出した場合に警報を発生させるステップ（Ｓ３）と、
を備えることを特徴とする、電力使用警報発生方法。
【請求項２】
前記警報を発生するステップが、前記当日の使用電力データと前記過去数日間の使用電力データの最大値との差が第１の一定値を超えかつ該当日の使用電力データと該過去数日間の使用電力データの最大値との比が第１の一定率を超えた場合に第１の警報を発生するとともに、前記当日の使用電力データと前記過去数日間の使用電力データの最大値との差が第２の一定値を超えかつ該当日の使用電力データと該過去数日間の使用電力データの最大値との比が第２の一定率を超えた場合に第２の警報を発生することを特徴とする、請求項１記載の電力使用警報発生方法。
【請求項３】
分電盤（２０）に設置された電力センサー（２１）により測定された使用電力量を受信するための受信部（１１）と、
該受信部により受信された前記使用電力量に基づいて各種演算を行う演算部（１２）と、
該演算部に接続された表示部（１４）と、
を備え、
前記演算部が、前記使用電力量に基づいて所定時間ごとの使用電力データを求め、該求めた所定時間ごとの使用電力データを用いて当日の使用電力データと過去数日間の使用電力データの最大値とを該所定時間ごとに比較し、該当日の使用電力データと該過去数日間の使用電力データの最大値との差が一定値を超えかつ該当日の使用電力データと該過去数日間の使用電力データの最大値との比が一定率を超えた時間帯を検出した場合に、該検出した時間帯を示す警報を前記表示部に表示させることを特徴とする、電力使用警報表示装置。
【請求項４】
前記演算部が、前記当日の使用電力データと前記過去数日間の使用電力データの最大値との差が第１の一定値を超えかつ該当日の使用電力データと該過去数日間の使用電力データの最大値との比が第１の一定率を超えた第１の時間帯を検出した場合、および、前記当日の使用電力データと前記過去数日間の使用電力データの最大値との差が第２の一定値を超えかつ該当日の使用電力データと該過去数日間の使用電力データの最大値との比が第２の一定率を超えた第２の時間帯を検出した場合に、該検出した第１および第２の時間帯を示す警報を前記表示部に表示させることを特徴とする、請求項３記載の電力使用警報表示装置。
【請求項５】
受信部（１１）が、分電盤（２０）に設置された電力センサー（２１）により測定された使用電力量を受信するステップ（Ｓ１１）と、
演算部（１２）が、前記受信した使用電力量に基づいて所定時間ごとの使用電力データを求めたのち、該求めた所定時間ごとの使用電力データを記憶部（１４）に記憶させるステップ（Ｓ１２）と、
前記演算部が、前記記憶部に記憶された前記所定時間ごとの使用電力データを用いて、当日の使用電力データと過去数日間の使用電力データの最大値との差を該所定時間ごとに求めるとともに、該当日の使用電力データと該過去数日間の使用電力データの最大値との比を該所定時間ごとに求め、該求めた所定時間ごとの差および該求めた所定時間ごとの比を前記記憶部に記憶させるステップ（Ｓ１３）と、
前記演算部が、前記所定時間ごとの差が一定値を超えかつ前記所定時間ごとの比が一定率を超えた時間帯を検出した場合に、該検出した時間帯を示す警報を表示部に表示させるステップ（Ｓ１４）と、
を備えることを特徴とする、電力使用警報表示方法。
【請求項６】
前記表示させるステップが、前記演算部が、前記当日の使用電力データと前記過去数日間の使用電力データの最大値との差が第１の一定値を超えかつ該当日の使用電力データと該過去数日間の使用電力データの最大値との比が第１の一定率を超えた第１の時間帯を検出した場合、および、前記当日の使用電力データと前記過去数日間の使用電力データの最大値との差が第２の一定値を超えかつ該当日の使用電力データと該過去数日間の使用電力データの最大値との比が第２の一定率を超えた第２の時間帯を検出した場合に、該検出した第１および第２の時間帯を示す警報を前記表示部に表示させることを特徴とする、請求項５記載の電力使用警報表示方法。
【請求項７】
請求項３または４記載の電力使用警報表示装置の機能を有するインターフォン（５０）であって、
前記受信部がインターフォン親機（６０）に内蔵されており、
前記演算部の機能が前記インターフォン親機の親機コントローラ（６２）に追加されており、
前記検出した時間帯を示す警報が前記インターフォン親機のディスプレイ（６３）に表示される、
ことを特徴とする、インターフォン。
【発明の詳細な説明】
【技術分野】
【０００１】
本発明は、電力使用警報発生方法，電力使用警報表示装置，電力使用警報表示方法およびインターフォンに関し、特に、一般家庭の電力使用者に省エネルギーを促すのに好適な電力使用警報発生方法，電力使用警報表示装置，電力使用警報表示方法およびインターフォンに関する。
【背景技術】
【０００２】
従来、使用電力量を表示するための装置としては、以下に示す特許文献１〜３に開示されているものがある。
【特許文献１】特開２００２−１５２９７０号公報
【特許文献２】特開２０００−１９３６９５号公報
【特許文献３】特開平８−６３１３２号公報
【０００３】
上記特許文献１（特開２００２−１５２９７０号公報）は、縦軸または横軸の一方に電力料金を他方に太陽光発電システムの導入前と導入後を並べてとった棒グラフにおいて、導入前の所要電力料金を表す線分、導入後の所要電力料金を表す線分の先端から、各電力料金と同額を示す位置上に線を引いて各々導入前電力料金ライン、導入後電力料金ラインとし、両ライン間に、太陽光発電システムの導入効果を数値や文字で表示することにより、住宅に太陽光発電システムを導入した場合の効果を分かり易く表示し、具体的な効果を一目で示すことのできる表示物を開示する。
上記特許文献２（特開２０００−１９３６９５号公報）は、少なくとも瞬時電力を検出し、検出した使用量を、無線送信し、受信手段が前記無線送信された信号を受信すると、前記使用量を、前記瞬時電力またはそれを積算した電力量により、予め記憶する目標値と比較して表示させることからなり、電力使用状態監視時間帯を予め定め、該監視時間帯内の前記比較結果を少なくともグラフにより表示するようにすることにより、使用電力量が一般に大きいビル、工場などで電力使用状態を同時的に監視するに適した電力使用状態監視装置を開示する。
上記特許文献３（特開平８−６３１３２号公報）は、ＣＰＵで所定時限毎の使用電力量とそれ以降の使用電力量を予測し、予測した使用電力量に基づき所定時限の使用電力量が基準電力量を超過すると判断したとき、表示手段における該時限近傍の表示部分を拡大表示することにより、デマンド監視を容易に行うことができ、信頼性を向上させた電力デマンド監視装置を開示する。
【発明の開示】
【発明が解決しようとする課題】
【０００４】
しかしながら、上記特許文献１に開示された表示物は、太陽光発電システムの導入前後の年間電力料金を示す２つの棒グラフの先端に導入前電力料金ラインおよび導入後電力料金ラインを引いて太陽光発電システムの導入前後での使用電力量削減効果を視覚的に見易いようにしたものであり、たとえば年間での使用電力量削減効果を分かり易く表示する上では有効であるかもしれないが、太陽光発電システムの導入をしていない一般家庭の電力使用者に省エネルギーを促すのに必ずしも効果的ではない。
上記特許文献２に開示された電力使用状態監視装置は、予め定めた電力使用状態監視時間帯内の実績使用電力量と予め記憶した目標値との比較結果をグラフにより表示するものであり、使用電力量の目標値が１年を通して設定し易い大きいビルや工場などで電力使用状態を同時的に監視するには適しているかもしれないが、使用電力量の目標値が１年を通して必ずしも設定し易くない一般家庭の電力使用者に省エネルギーを促すのに必ずしも効果的ではない。
上記特許文献３に開示された電力デマンド監視装置は、所定時限の使用電力量が基準電力量を超過すると判断したときにこの時限近傍の表示部分を拡大表示するようにしたものであり、デマンド監視には有効であるかもしれないが、一般家庭の電力使用者に省エネルギーを促すのに必ずしも効果的ではない。
【０００５】
本発明の目的は、一般家庭の電力使用者に省エネルギーを促すのに効果的な電力使用警報発生方法，電力使用警報表示装置，電力使用警報表示方法およびインターフォンを提供することにある。
【課題を解決するための手段】
【０００６】
本発明の電力使用警報発生方法は、測定された使用電力量に基づいて所定時間ごとの使用電力データを求めるステップと、前記所定時間ごとの使用電力データを用いて、当日の使用電力データと過去数日間の使用電力データの最大値との差を該所定時間ごとに求めるとともに、該当日の使用電力データと該過去数日間の使用電力データの最大値との比を該所定時間ごとに求めるステップと、前記所定時間ごとの差が一定値を超えかつ前記所定時間ごとの比が一定率を超えた時間帯を検出した場合に警報を発生させるステップとを備えることを特徴とする。
ここで、前記警報を発生するステップが、前記当日の使用電力データと前記過去数日間の使用電力データの最大値との差が第１の一定値を超えかつ該当日の使用電力データと該過去数日間の使用電力データの最大値との比が第１の一定率を超えた場合に第１の警報を発生するとともに、前記当日の使用電力データと前記過去数日間の使用電力データの最大値との差が第２の一定値を超えかつ該当日の使用電力データと該過去数日間の使用電力データの最大値との比が第２の一定率を超えた場合に第２の警報を発生してもよい。
【０００７】
本発明の電力使用警報表示装置は、分電盤（２０）に設置された電力センサー（２１）により測定された使用電力量を受信するための受信部（１１）と、該受信部により受信された前記使用電力量に基づいて各種演算を行う演算部（１２）と、該演算部に接続された表示部（１４）とを備え、前記演算部が、前記使用電力量に基づいて所定時間ごとの使用電力データを求め、該求めた所定時間ごとの使用電力データを用いて当日の使用電力データと過去数日間の使用電力データの最大値とを該所定時間ごとに比較し、該当日の使用電力データと該過去数日間の使用電力データの最大値との差が一定値を超えかつ該当日の使用電力データと該過去数日間の使用電力データの最大値との比が一定率を超えた時間帯を検出した場合に、該検出した時間帯を示す警報を前記表示部に表示させることを特徴とする。
ここで、前記演算部が、前記当日の使用電力データと前記過去数日間の使用電力データの最大値との差が第１の一定値を超えかつ該当日の使用電力データと該過去数日間の使用電力データの最大値との比が第１の一定率を超えた第１の時間帯を検出した場合、および、前記当日の使用電力データと前記過去数日間の使用電力データの最大値との差が第２の一定値を超えかつ該当日の使用電力データと該過去数日間の使用電力データの最大値との比が第２の一定率を超えた第２の時間帯を検出した場合に、該検出した第１および第２の時間帯を示す警報を前記表示部に表示させてもよい。
【０００８】
本発明の電力使用警報表示方法は、受信部（１１）が、分電盤（２０）に設置された電力センサー（２１）により測定された使用電力量を受信するステップ（Ｓ１１）と、演算部（１２）が、前記受信した使用電力量に基づいて所定時間ごとの使用電力データを求めたのち、該求めた所定時間ごとの使用電力データを記憶部（１４）に記憶させるステップ（Ｓ１２）と、前記演算部が、前記記憶部に記憶された前記所定時間ごとの使用電力データを用いて、当日の使用電力データと過去数日間の使用電力データの最大値との差を該所定時間ごとに求めるとともに、該当日の使用電力データと該過去数日間の使用電力データの最大値との比を該所定時間ごとに求め、該求めた所定時間ごとの差および該求めた所定時間ごとの比を前記記憶部に記憶させるステップ（Ｓ１３）と、前記演算部が、前記所定時間ごとの差が一定値を超えかつ前記所定時間ごとの比が一定率を超えた時間帯を検出した場合に、該検出した時間帯を示す警報を表示部に表示させるステップ（Ｓ１４）とを備えることを特徴とする。
ここで、前記表示させるステップが、前記演算部が、前記当日の使用電力データと前記過去数日間の使用電力データの最大値との差が第１の一定値を超えかつ該当日の使用電力データと該過去数日間の使用電力データの最大値との比が第１の一定率を超えた第１の時間帯を検出した場合、および、前記当日の使用電力データと前記過去数日間の使用電力データの最大値との差が第２の一定値を超えかつ該当日の使用電力データと該過去数日間の使用電力データの最大値との比が第２の一定率を超えた第２の時間帯を検出した場合に、該検出した第１および第２の時間帯を示す警報を前記表示部に表示させてもよい。
【０００９】
本発明のインターフォンは、本発明の電力使用警報表示装置の機能を有するインターフォン（５０）であって、前記受信部がインターフォン親機（６０）に内蔵されており、前記演算部の機能が前記インターフォン親機の親機コントローラ（６２）に追加されており、前記検出した時間帯を示す警報が前記インターフォン親機のディスプレイ（６３）に表示されることを特徴とする。
【発明の効果】
【００１０】
本発明の電力使用警報発生方法，電力使用警報表示装置，電力使用警報表示方法およびインターフォンは、次の効果を有する。
（１）当日の使用電力データと過去数日間の使用電力データの最大値とを所定時間ごとに比較して両者の差が一定値を超えかつ両者の比が一定率を超えた場合に警報を発生することにより、両者の差が一定値を超えた場合または両者の比が一定率を超えた場合に警報を発生するよりも、当日の使用電力量の大小による発生頻発度の偏りなく警報を発生させることができる。
（２）当日の使用電力データと過去数日間の使用電力データの最大値とを所定時間ごとに比較して両者の差が一定値を超えかつ両者の比が一定率を超えた時間帯を示す警報を表示部に表示させることにより、電力を節約すべき時間帯を容易に把握することができる。
（３）本発明の電力使用警報表示装置の機能をインターフォンに組み込むことにより、インターフォンの多機能化を図ることができる。
【発明を実施するための最良の形態】
【００１１】
一般家庭の電力使用者に省エネルギーを促すのに効果的であるという目的を、当日の使用電力データと過去数日間の使用電力データの最大値とを所定時間ごとに比較し、当日の使用電力データと過去数日間の使用電力データの最大値との差が一定値を超えかつ当日の使用電力データと過去数日間の使用電力データの最大値との比が一定率を超えた場合に、警報を発生したり、両者の差が一定値を超えかつ両者の比が一定率を超えた時間帯を示す警報を表示部に表示させたりすることにより実現した。
【実施例１】
【００１２】
以下、本発明の電力使用警報発生方法，電力使用警報表示装置，電力使用警報表示方法およびインターフォンの実施例について図面を用いて説明する。
まず、本発明の一実施例による電力使用警報発生方法について、図１に示すフローチャートを参照して説明する。
本実施例による電力使用警報発生方法では、たとえば電力センサーにより測定された使用電力量に基づいて１時間ごと（所定時間）の使用電力量を求める（ステップＳ１）。その後、求めた１時間ごとの使用電力量を用いて、当日の使用電力量Ｗ0と過去３日間の使用電力量の最大値ＭＡＸ(Ｗ-1，Ｗ-2，Ｗ-3)との差ΔＷ（ΔＷ＝Ｗ0−ＭＡＸ（Ｗ-1，Ｗ-2，Ｗ-3））を１時間ごとに求めるとともに、当日の使用電力量Ｗ0と過去３日間の使用電力量の最大値ＭＡＸ(Ｗ-1，Ｗ-2，Ｗ-3)との比ｄＷ（ｄＷ＝Ｗ0／ＭＡＸ(Ｗ-1，Ｗ-2，Ｗ-3)）を１時間ごとに求める（ステップＳ２）。その後、１時間ごとの差ΔＷが０．５ｋｗｈ（一定値）を超えかつ１時間ごとの比ｄＷが１．５倍（一定率）を超えた時間帯を検出した場合に警報を発生させる（ステップＳ３）。
【００１３】
ここで、当日の使用電力量Ｗ0と過去３日間の使用電力量の最大値ＭＡＸ(Ｗ-1，Ｗ-2，Ｗ-3)との差ΔＷおよび当日の使用電力量Ｗ0と過去３日間の使用電力量の最大値ＭＡＸ(Ｗ-1，Ｗ-2，Ｗ-3)との比ｄＷの両方を用いる理由は、当日の使用電力量Ｗ0と過去３日間の使用電力量の最大値ＭＡＸ(Ｗ-1，Ｗ-2，Ｗ-3)との差ΔＷだけを用いて警報を発生させた場合には当日の使用電力量Ｗ0が大きいときに頻発に警報が発生されるのに対して、当日の使用電力量Ｗ0と過去３日間の使用電力量の最大値ＭＡＸ(Ｗ-1，Ｗ-2，Ｗ-3)との比ｄＷだけを用いて警報を発生させた場合には当日の使用電力量Ｗ0が小さいときに頻発に警報が発生されることから、差ΔＷおよび比ｄＷの両方を用いることにより、当日の使用電力量Ｗ0の大小による発生頻発度の偏りなく警報を発生させることができるためである。
【００１４】
なお、本実施例による電力使用警報発生方法は、以下のような変更が可能である。
（１）当日の使用電力量Ｗ0と比較する過去数日間の使用電力量の最大値
当日の使用電力量Ｗ0と過去３日間の使用電力量の最大値ＭＡＸ(Ｗ-1，Ｗ-2，Ｗ-3)とを比較したが、当日の使用電力量Ｗ0と比較する過去数日間の使用電力量の最大値は、たとえば過去１週間の使用電力量の最大値や過去１０日間の使用電力量の最大値でもよいが、前日の使用電力量の最大値や過去２日間の使用電力量の最大値では比較する値がばらつき易くなり、また、たとえば過去１ヶ月間の使用電力量の最大値では比較する値が固定化するため、過去３日間から過去１０日間の使用電力量の最大値を使用するのが好ましい。
（２）所定時間ごと
１時間ごとの差ΔＷおよび１時間ごとの比ｄＷを求めたが、差ΔＷおよび比ｄＷを求める時間間隔（所定時間ごと）は３０分ごと，２時間ごとや３時間ごとであってもよい。ただし、１時間ごとの使用電力量を用いたのは、時間を区切ることで使用状況が分かり易くなることからであり、この時間が短いと比較対象が多くなり煩雑で分かりにくくなり、また、この時間が長いと実績値（使用電力量）が大きいか小さいか判断しにくくなるため、１時間ごとから３時間ごとの使用電力量を用いるのが好ましい。
（３）警報の種類
１時間ごとの差ΔＷが０．５ｋｗｈ（第１の一定値）を超えかつ１時間ごとの比ｄＷが１．５倍（第１の一定率）を超えた場合に警報（第１の警報）を発生したが、たとえば、１時間ごとの差ΔＷが０ｋｗｈ（第２の一定値）を超えかつ１時間ごとの比ｄＷが１倍（第２の一定率）を超えた場合に別の警報（第２の警報）を発生してもよい。なお、一定値および一定率として用いる数値は、これらのものに限らない。
【実施例２】
【００１５】
次に、本発明の一実施例による電力使用警報表示装置について、図２に示すブロック図および図３に示すフローチャートを参照して説明する。
本実施例による電力使用警報表示装置１０は、図２に示すように、ある一般家庭の分電盤２０に設置された送信部２２から微弱無線により送信される電力センサー２１で測定された使用電力量を受信するための受信部１１と、受信部１１から入力される使用電力量に基づいて各種演算を行う演算部１２と、演算部１２に接続された記憶部１３および表示部１４とを備える。
ここで、記憶部１３は、演算部１２から入力される使用電力データ（たとえば、使用電力量や、使用電力量から求めた使用電気料金など）を所定時間ごと（たとえば、１時間ごと）に毎日記憶するとともに、演算部１２での各種演算の結果を記憶する。また、表示部１４は、演算部１２から入力される各種表示データ（後述する警報など）を表示する。
【００１６】
電力使用警報表示装置１０では、演算部１２が当日の使用電力量と過去３日間の使用電力量の最大値とを１時間ごとに比較して両者の差が一定値を超えかつ両者の比が一定率を超えた場合に表示部１４に警報を表示させる。
【００１７】
次に、本実施例による電力使用警報表示装置１０の動作（本発明の一実施例による電力使用警報表示方法）について、図３を参照して説明する。なお、以下の説明では、使用電力データとして使用電力量を用いる。
分電盤２０に設置された電力センサー２１により測定された使用電力量は、送信部２２に出力されたのちに、微弱無線により電力使用警報表示装置１０に送信されて、受信部１１で受信される（ステップＳ１１）。
受信部１１により受信された使用電力量は演算部１２に出力される。演算部１２は、１時間ごとの使用電力量を求めたのち、求めた１時間ごとの使用電力量を記憶部１３に記憶させる（ステップＳ１２）。表１に、記憶部１３に記憶された１時間ごとの使用電力量の一例を示す。
【表１】
2006017646.tif 000003
【００１８】
演算部１２は、記憶部１３に記憶されている１時間ごとの使用電力量を用いて、当日の使用電力量Ｗ0と過去３日間の使用電力量Ｗ-1，Ｗ-2，Ｗ-3の最大値ＭＡＸ(Ｗ-1，Ｗ-2，Ｗ-3)との差ΔＷ（ΔＷ＝Ｗ0−ＭＡＸ（Ｗ-1，Ｗ-2，Ｗ-3））を１時間ごとに求めるとともに、当日の使用電力量Ｗ0と過去３日間の使用電力量Ｗ-1，Ｗ-2，Ｗ-3の最大値ＭＡＸ(Ｗ-1，Ｗ-2，Ｗ-3)との比ｄＷ（ｄＷ＝Ｗ0／ＭＡＸ(Ｗ-1，Ｗ-2，Ｗ-3)）を１時間ごとに求め、求めた１時間ごとの差ΔＷおよび１時間ごとの比ｄＷを記憶部１３に記憶する（ステップＳ１３）。表２に、記憶部１３に記憶された１時間ごとの差ΔＷおよび１時間ごとの比ｄＷの一例を示す。なお、この例は、３月４日および３月５日について１時間ごとの差ΔＷおよび１時間ごとの比ｄＷを求めた例である。
【表２】
2006017646.tif 000004
【００１９】
続いて、演算部１２は、記憶部１３に記憶された１時間ごとの差ΔＷおよび１時間ごとの比ｄＷを参照して、１時間ごとの差ΔＷが一定値を超えかつ１時間ごとの比ｄＷが一定率を超えた時間帯を検出し、検出した時間帯を記憶部１３に記憶するとともに、検出した時間帯を示す警報（たとえば、表３に示すような表に示した○印）を表示部１４に表示させる（ステップＳ１４）。表３に、表１および表２に示した例において一定値を０．５ｋｗｈとするとともに一定率を１．５倍としたときの検出された時間帯を示す。
【表３】
2006017646.tif 000005
【００２０】
これにより、一般家庭の電力使用者は、表示部１４に表示された警報（たとえば、表３に示した○印）により、３月４日の２時から３時の時間帯に使用電力量が大きかったことと、３月５日にはいずれの時間帯においても使用電力量が大きくなかったこととを容易に把握することができる。その結果、一般家庭の電力使用者の使用電力量の節約意識を高めることができる。
【００２１】
なお、以上の説明では、１時間ごとの差ΔＷが０．５ｋｗｈを超えかつ１時間ごとの比ｄＷが１．５倍を超えた場合に警報を表示させたが、たとえば、表４に示すように、１時間ごとの差ΔＷが０ｋｗｈを超えかつ１時間ごとの比ｄＷが１倍を超えた場合に別の表示（たとえば、△印）で警報を表示させてもよい。
【表４】
2006017646.tif 000006
【００２２】
なお、本実施例による電力使用警報表示装置および電力使用警報表示方法は、上述した本発明の一実施例による電力使用警報発生方法と同様な変更が可能である。
【実施例３】
【００２３】
次に、本発明の一実施例によるインターフォンについて、図４に示すブロック図を参照して説明する。
本実施例によるインターフォン５０は、インターフォン親機６０とインターフォン子機７０とを備える。インターフォン親機６０は、インターフォン子機７０と接続されたインターフォン・インターフェース（インターフォン・Ｉ／Ｆ）６１と、インターフォン・インターフェース６１と接続された親機コントローラ６２と、親機コントローラ６２と接続された液晶ディスプレイ６３，受信部６４，記憶部６５および表示モード切替ボタン６６とを備える。
ここで、親機コントローラ６２は、図２に示した演算部１２の機能が追加されたものであり、また、受信部６４および記憶部６５は、図２に示した受信部１１および記憶部１３と同様の機能を有する。
表示モード切替ボタン６６は液晶ディスプレイ６３の表示モードを親機コントローラ６２に指示するものであり、表示モード切替ボタン６６が押下されるたびに、親機コントローラ６２は、液晶ディスプレイ６３の表示モードを待機モード→省エネナビ表示モード→掲示板表示モード→回覧板表示モード→待機モードのように切り替える。ここで、省エネナビ表示モードは、たとえば表３および表４に示したような検出した時間帯を示す警報を表示するモードである。掲示板表示モードおよび回覧板表示モードはそれぞれ、たとえば、インターフォン５０にホームサーバ（不図示）を接続してインターネットを介して受信されたサーバの掲示板サイトおよび回覧板サイトを閲覧するモードである。
【００２４】
以上のように構成された本実施例によるインターフォン５０では、図２に示した受信部１１および記憶部１３が受信部６４および記憶部６５としてインターフォン親機６０に内蔵されているとともに、図２に示した演算部１２の機能がインターフォン親機６０の親機コントローラ６２に追加されているため、一般家庭の電力使用者は、表示モード切替ボタン６６を押下して液晶ディスプレイ６３の表示モードを省エネナビ表示モードに切り替えることにより、表３および表４に示したような検出した時間帯を示す警報を液晶ディスプレイ６３に表示させることができる。
【００２５】
なお、本発明の電力使用警報表示装置の機能をインターフォン５０に持たせたが、以下のようにしてパーソナルコンピュータに持たせるようにしてもよい。
受信部１１をパーソナルコンピュータに接続して、パーソナルコンピュータに演算部１２と同様の処理をさせて、表３および表４に示したような検出した時間帯を示す警報をパーソナルコンピュータに接続されたディスプレイに表示させる。
【００２６】
以上の説明では、使用電力データとして使用電力量を用いたが、使用電力量から求めた使用電気料金を用いてもよい。また、使用電力データとして使用電力量および使用電気料金の両方を用いてもよい。
【産業上の利用可能性】
【００２７】
本発明の電力使用警報発生方法，電力使用警報表示装置，電力使用警報表示方法およびインターフォンは、一般家庭の電力使用者に省エネルギーを促すのに好適な電力使用警報発生方法，電力使用警報表示装置，電力使用警報表示方法およびインターフォンとして使用することができる。
【図面の簡単な説明】
【００２８】
【図１】本発明の一実施例による電力使用警報発生方法を説明するためのフローチャートである。（実施例１）
【図２】本発明の一実施例による電力使用警報表示装置の構成を示すブロック図である。（実施例２）
【図３】図２に示した電力使用警報表示装置１０の動作を説明するためのフローチャートである。（実施例２）
【図４】本発明の一実施例によるインターフォンの構成を示すブロック図である。（実施例３）
【符号の説明】
【００２９】
１０  電力使用警報表示装置
１１，６４  受信部
１２  演算部
１３，６５  記憶部
１４  表示部
２０  分電盤
２１  電力センサー
２２  送信部
５０  インターフォン
６０  インターフォン親機
６１  インターフォンＩ／Ｆ
６２  親機コントローラ
６３  液晶ディスプレイ
６６  表示モード切替ボタン
７０  インターフォン子機
Ｓ１〜Ｓ３，Ｓ１１〜Ｓ１４  ステップ
【図１】
2006017646.tif 000007
【図２】
2006017646.tif 000008
【図３】
2006017646.tif 000009
【図４】
2006017646.tif 000010